(57)【特許請求の範囲】
【請求項１】
ガンマ補正情報を用いて画像データの濃度階調を補正し、補正された画像データに基づいて画像を形成する画像形成装置であって、
パッチ画像を用いて前記ガンマ補正情報を更新する更新手段と、
前記画像形成装置の筐体内の環境変動を検出する環境変動検出手段とを有し、
前記更新手段は、第１の更新として出力安定性の高いパッチ画像を用いて前記ガンマ補正情報を更新し、第２の更新として感度の高いパッチ画像を用いて前記第１の更新により更新された前記ガンマ補正情報をさらに更新し、前記出力安定性の高いパッチ画像は、前記環境変動検出手段により検出された環境変動に応じて決められ、前記画像形成装置の筐体内の環境変動に対する出力安定性の高いパッチ画像であり、前記感度の高いパッチ画像は、前記画像形成装置の筐体内の環境変動に対する感度の高いパッチ画像であることを特徴とする画像形成装置。
【請求項２】
前記出力安定性の高いパッチ画像は、複数のドットが水平及び垂直方向に密に連結したパッチ画像であることを特徴とする請求項１に記載の画像形成装置。
【請求項３】
前記感度の高いパッチ画像は、水平及び垂直方向にドットが疎なパッチ画像であることを特徴とする請求項１または２に記載の画像形成装置。
【請求項４】
前記出力安定性の高いパッチ画像は、パッチ画像毎に予め設定されている出力安定性情報に基づいて決められること特徴とする請求項１乃至３のいずれか１項に記載の画像形成装置。
【請求項５】
前記感度の高いパッチ画像は、パッチ画像毎に予め設定されている感度情報に基づいて決められること特徴とする請求項１乃至４のいずれか１項に記載の画像形成装置。
【請求項６】
所定のパターンで構成されたパッチ画像群の全てのパッチ画像を形成する形成手段と、
前記形成手段により形成されたパッチ画像の濃度情報が所定範囲内であるか否かを判定する判定手段と
をさらに有し、
前記更新手段は、前記判定手段により判定された濃度情報が前記所定範囲内であるパッチ画像を、前記出力安定性の高いパッチ画像として前記第１の更新に用い、前記判定手段により判定された濃度情報が前記所定範囲内でないパッチ画像を、前記感度の高いパッチ画像として前記第２の更新に用いることを特徴とする請求項１乃至３のいずれか１項に記載の画像形成装置。
【請求項７】
ガンマ補正情報を用いて画像データの濃度階調を補正し、補正された画像データに基づいて画像を形成する画像形成装置が実行する、ガンマ補正情報の更新方法であって、
前記画像形成装置の筐体内の環境変動を検出する環境変動検出工程と、
出力安定性の高いパッチ画像を用いて前記ガンマ補正情報を更新する第１の更新工程と、
感度の高いパッチ画像を用いて前記第１の更新工程により更新された前記ガンマ補正情
報をさらに更新する第２の更新工程と
を含み、前記出力安定性の高いパッチ画像は、前記環境変動検出工程で検出された環境変動に応じて決められ、前記画像形成装置の筐体内の環境変動に
対する出力安定性の高いパッチ画像であり、前記感度の高いパッチ画像は、前記画像形成装置の筐体内の環境変動に対する感度の高いパッチ画像であることを特徴とするガンマ補正情報の更新方法。
【請求項８】
コンピュータに、請求項７に記載の更新方法を実行させるためのプログラム。
【発明の詳細な説明】
【技術分野】
【０００１】
本発明は、画像形成装置において入力画像データに対して濃度補正を行うために用いるガンマ補正情報の更新に関する。
【背景技術】
【０００２】
コンピュータなど画像処理装置で処理した画像データを印刷することが広く行われている。一般に画像処理装置では、入力画像データに対してガンマ特性（入出力特性）に応じた濃度補正を行い、濃度補正後の画像データを用いて画像を紙など記録媒体に形成する。その際の濃度補正は、予め設定されたガンマ補正情報に基づいて行われる。ガンマ補正情報は予め設定されているが、ガンマ特性は感光体ドラムや転写ベルトなどの経年劣化や部品交換、温湿度などの環境変動によって変化する。ガンマ特性が変化した場合は、その変化に応じてガンマ補正情報を更新しなければ、期待する濃度を再現できず、画質が劣化する可能性がある。
【０００３】
ガンマ補正情報を更新する方法としては、従来、複数の階調値に対応する複数のパッチ画像を転写ベルトや紙などに出力し、出力したパッチ画像の濃度をセンサ等で検出し、濃度検出結果に基づいてガンマ補正情報を更新する。
【０００４】
しかしながら、通常状態から大きな環境変動があった場合に、パッチ画像は安定して出力できず、出力濃度が環境変動量から想定される濃度より大きく異なることが多い。例えば、複数の階調のパッチ画像は同一濃度が検出されることがある。このような濃度検出結果でガンマ補正情報を更新してしまうと、ガンマ特性が急激に変化する階調飛びを発生させるガンマ補正情報となる場合がある。
【０００５】
この課題を解決するために、特許文献１では、濃度が低い領域の複数パッチ画像及び濃度が高い領域の複数パッチ画像で同一濃度が検出された場合、各領域において最も高い濃度もしくは最も低い濃度の何れかを選択する。それにより、階調飛びを減らすようにガンマ補正情報を更新する。
【先行技術文献】
【特許文献】
【０００６】
【特許文献１】特開２００８−８５５６４号公報
【発明の概要】
【発明が解決しようとする課題】
【０００７】
しかしながら、特許文献１の技術では、濃度が低い領域・高い領域において複数のパッチ画像を出力しているが、同一濃度のパッチが存在した場合、ガンマ補正曲線を設定するために有効な濃度情報が減少している。つまり、ガンマ補正曲線を設定するために、無駄なパッチ画像を出力したことになり、トナーを無駄に消費するという問題があった。一方、無駄なパッチ画像の出力を回避するためにパッチ画像数を減らした場合には、濃度が低い領域・高い領域において高精度な濃度補正ができないという問題があった。
【課題を解決するための手段】
【０００８】
本発明の画像形成装置は、ガンマ補正情報を用いて画像データの濃度階調を補正し、補正された画像データに基づいて画像を形成する画像形成装置であって、パッチ画像を用いて前記ガンマ補正情報を更新する更新手段と、前記画像形成装置の筐体内の環境変動を検出する環境変動検出手段とを有し、前記更新手段は、第１の更新として出力安定性の高いパッチ画像を用いて前記ガンマ補正情報を更新し、第２の更新として感度の高いパッチ画像を用いて前記第１の更新により更新された前記ガンマ補正情報をさらに更新し、前記出力安定性の高いパッチ画像は、前記環境変動検出手段により検出された環境変動に応じて決められ、前記画像形成装置の筐体内の環境変動に対する出力安定性の高いパッチ画像であり、前記感度の高いパッチ画像は、前記画像形成装置の筐体内の環境変動に対する感度の高いパッチ画像であることを特徴とする。
【発明の効果】
【０００９】
本発明によれば、環境変動があった場合においても無駄なパッチ画像の出力を回避しつつ高精度なガンマ補正情報の更新を実現することができる。
【図面の簡単な説明】
【００１０】
【図１】実施形態１における画像形成装置の内部構造を示す断面図である。
【図２】実施形態１における画像形成装置の論理構成を示すブロック図である。
【図３】実施形態１におけるガンマ補正情報を更新する処理フローを示す図である。
【図４】パッチ画像の出力ドットの並び方を示す模式図である。
【図５】実施形態２における画像形成装置の論理構成を示すブロック図である。
【図６】実施形態２におけるガンマ補正情報を更新する処理フローを示す図である。
【図７】実施形態３における画像形成装置の論理構成を示すブロック図である。
【図８】実施形態３におけるガンマ補正情報を更新する処理フローを示す図である。
【発明を実施するための形態】
【００１１】
以下、添付の図面を参照して、本発明を好適な実施形態に基づいて詳細に説明する。なお、以下の実施形態において示す構成は一例にすぎず、本発明は図示された構成に限定されるものではない。
【００１２】
［実施形態１］
図１は本実施形態における画像形成装置の内部構造を示す断面図である。
【００１３】
画像形成装置１は４ドラム方式のカラーレーザビームプリンタの構造を有する。図１に示すように、画像形成装置１の下部に転写材カセット５３が装着されている。転写材カセット５３にセットされた記録媒体（記録紙、透過シート等）は、給紙ローラ５４によって一枚ずつ取り出され、搬送ローラ対５５−ａ、５５−ｂによって画像形成部に給送される。画像形成部に記録媒体を搬送する転写搬送ベルト１０が複数の回転ローラによって記録媒体搬送方向（図１では右から左方向）に扁平に張設され、転写搬送ベルト１０の最上流部においては、記録媒体が搬送ベルト１０に静電吸着される。また、ベルト搬送面に対向して４個のドラム状の像担持体としての感光体ドラム１４−Ｃ、１４−Ｍ、１４−Ｙ、１４−Ｋが直線状に配設されて画像形成部を構成している。ここで、Ｃはシアン、Ｙはイエロー、Ｍはマゼンダ、Ｋはブラックの各色成分を示している。なお、色成分毎の画像形成部は搭載するトナーの色が異なるだけで、構造上で同様であるので、以下、Ｃ色用の画像形成部を例に説明を行う。
【００１４】
Ｃ色用の画像形成部は、感光体ドラム１４−Ｃの表面を一様に帯電させる帯電器５０−Ｃ、Ｃ色用トナーを収納し、感光体ドラム１４−Ｃ上に形成された静電潜像を現像する現像器５２−Ｃ、並びに露光部５１−Ｃを有する。現像器５２−Ｃと帯電器５０−Ｃの間には所定の間隔が設けられている。帯電器５０−Ｃによってその表面が均一に帯電した感光体ドラム１４−Ｃ上に、上記の間隔を介してレーザスキャナからなる露光部５１−Ｃからのレーザ光を図面に垂直な方向に走査露光する。走査露光することで、走査露光した部分が非露光部分と異なる帯電状態となり、即ち、静電潜像を生成する。現像器５２−Ｃは上記の静電潜像にトナーを転移させて現像する。
【００１５】
また、転写搬送ベルト１０の搬送面を挟んで転写部５７−Ｃが配置されている。感光体ドラム１４−Ｃの周面上に形成（現像）されたトナー像は、転写部５７−Ｃで形成される転写電界によって、搬送されてきた記録媒体上に電荷吸着されて、記録媒体面上に転写される。
【００１６】
上記色成分Ｃについての処理を、他の色成分Ｙ、Ｍ、Ｋについても同様に行うことで、Ｃ、Ｍ、Ｙ、Ｋの各色トナーが記録媒体に次々と転写されることになる。その後、定着器５８により、記録媒体上の各色トナーを熱溶融して定着させ、排紙ローラ対５９−ａ、５９−ｂによって機外に排出される。
【００１７】
なお、以上は各色成分のトナー像を記録媒体上に直接転写する例を示したが、本発明に適用可能な画像形成装置はこのような構成に限定されない。例えば、各色成分のトナー像を、一旦、転写搬送ベルト上に各色成分のトナー像を転写した後、その転写搬送ベルトに生成されたトナー像を記録媒体に再度転写する（二次転写する）構成でも構わない。このような二次転写を行う場合の転写ベルトを、中間転写ベルトという。
【００１８】
図２は本実施形態の画像形成装置の論理構成を示すブロック図である。
【００１９】
ガンマ補正処理部２０１は、ガンマ補正情報格納部２０２に格納されたガンマ補正情報を用いて、入力された画像データ（入力画像データ）に対してガンマ補正（濃度補正）処理を行う。ここで、入力された画像データは、ＣＭＹＫの各色空間に変換された多値の画像データ（ＣＭＹＫデータ）であり、ガンマ補正処理部２０１は、それぞれの色の濃度階調をターゲットとする階調へ補正する。なお、図２に示されていないが、入力画像データがＣＭＹＫデータでない場合に、入力画像データをＣＭＹＫデータへ変換する処理がガンマ補正の前に行われる。
【００２０】
ガンマ補正情報格納部２０２は、ガンマ補正情報をルックアップテーブル（ＬＵＴ）に格納する。なお、本実施形態では、ガンマ補正情報はＬＵＴとして格納するが、これに限定されず、他の形式として格納してもよい。
【００２１】
ハーフトーン処理部２０３は、ガンマ補正（濃度補正）後の画像データに対してハーフトーン処理を施し、より少ない階調数のハーフトーンデータに変換する。
【００２２】
パルス幅変調（ＰＷＭ）信号生成部２０４は、公知のＰＷＭ信号を生成して画像形成部２０５に出力する。
【００２３】
画像形成部２０５は、ＰＷＭ信号に従って画像形成を行う。具体的には、図１の露光部５１−Ｃ、５１−Ｍ、５１−Ｙ及び５１−Ｋによって、感光体ドラム１４−Ｃ、１４−Ｍ、１４−Ｙ及び１４−Ｋに走査露光が行われる。走査露光時の露光量は、ＰＷＭ信号に従って制御される。そして、現像器５２−Ｃ、５２−Ｍ、５２−Ｙ及び５２−Ｋによって現像する。
【００２４】
パッチ画像出力指示部２０６は、パッチ画像格納部２０６１及びパッチ画像選択部２０６２を含む。パッチ画像選択部２０６２が、パッチ画像格納部２０６１に格納されたパッチ画像の中から、ガンマ補正情報を更新するために出力するパッチ画像を選択する。選択したパッチ画像のデータを入力画像データとしてガンマ補正処理部２０１に入力し、パッチ画像の出力を指示する。指示に応じて、ガンマ補正処理部２０１、ハーフトーン処理部２０３及びＰＷＭ信号生成部２０４の処理が実行され、そして、パッチ画像が画像形成部２０５により形成される。
【００２５】
濃度検出部２０７は、形成されたパッチ画像の濃度情報を検出する。濃度検出手段は公知の手法を用いて良い。
【００２６】
ガンマ補正情報更新部２０８は、ガンマ補正情報算出部２０８１およびガンマ補正情報設定部２０８２を含み、ガンマ補正情報格納部２０２に格納されたガンマ補正情報を更新する。ガンマ補正情報算出部２０８１は、濃度検出部２０７で検出されたパッチ画像の濃度情報に基づいてガンマ補正情報を算出する。ガンマ補正情報設定部２０８２は、画像形成装置のガンマ補正情報をガンマ補正情報算出部２０８１で算出されたガンマ補正情報に設定する。
【００２７】
図３は、本実施形態においてガンマ補正情報を更新する処理フローを示す図である。
【００２８】
ステップＳ３０１において、パッチ画像選択部２０６２がパッチ画像格納部２０６１に格納されたパッチ画像の中から、画像形成装置の筐体内の環境変動があっても安定して出力可能なパッチ画像（環境変動に対する出力安定性の高いパッチ画像）を選択する。パッチ画像格納部２０６１に格納されたパッチ画像においてどのパッチ画像が出力安定性の高いパッチ画像であるか、及びどのパッチ画像が環境変動に対する感度の高いパッチ画像であるかは、パッチ画像毎に予め設定されている。このような情報は、パッチ画像の出力ドットの並び方（以下、ドット並び方）に基づいて予め設定され、パッチ画像に関連付けてパッチ画像格納部２０６１に格納されている。
【００２９】
カラーレーザビームプリンタにおいてドット形成の際に、露光による感光体上の電位の低下は理想な矩形ではなく、例えばガウシアン分布のような形になる。そのため、ドット並び方によって、感光体上の電位が十分に低下できず、トナーが安定して付着できない場合がある。本実施形態では、パッチ画像のドット並び方に基づいて、環境変動に対する出力安定性の高いパッチ画像であるか否か（パッチ画像の出力安定性）、及び環境変動に対する感度の高いパッチ画像であるか否か（パッチ画像の感度）を決めている。
【００３０】
図４は、本実施形態におけるパッチ画像の出力ドットの並び方を示す模式図である。簡単のため、３×３ドットからなるパターンについて説明する。本実施形態におけるパッチ画像は、このようなパターンを繰り返すことにより構成され、また、繰り返されるパターンのサイズは３×３ドットに限定されない。
【００３１】
パターン４０１、４０２、４０３のような複数のドットが水平及び垂直方向に密に連結したパッチ画像は、環境変動があっても安定して出力可能なパッチ画像（環境変動に対する出力安定性の高いパッチ画像）と決められている。複数のドットが水平及び垂直方向に密に連結したパターン４０１、４０２、４０３は、形成の際に、露光スポットが連続的に繋がることによって黒画素位置の電位が十分に低下し、トナーが安定して付着することができる。そのため、大きな環境変動があってもドットを安定して出力することが可能である。つまり、大きな環境変動によってガンマ特性が大きく変化した場合であっても、このようなパッチ画像の出力濃度より、環境変動による濃度変動の傾向を正しく示したガンマ補正情報を算出することができる。
【００３２】
一方、パターン４０４、４０５、４０６のような、水平及び垂直方向にドットが疎なパッチ画像は、大きな環境変動によってガンマ特性が大きく変化した場合に、ドットを安定して出力できない場合がある。これらのパターンを繰り返すことにより構成されたパッチ画像は、環境変動に対する感度の高いパッチ画像と決められている。環境変動があった場合に、パターン４０４、４０５は、形成の際に黒画素位置の電位が十分に低下せず、ドナーが安定して付着できない場合がある。また、パターン４０６は、形成の際に白画素位置はその周囲にある黒画素位置の露光の影響を受け、電位が低下するため、白画素がつぶれる場合がある。
【００３３】
なお、パッチ画像の出力安定性情報及び感度情報の設定は、計算結果を基に行うことができる。例えば、ドットの周囲の辺のうち白画素に接する辺（外辺）の数とドットの面積の割合は、出力安定性及び感度と相関がある。パターン４０５を例にすると、ドット面積３に対して外辺の数は１２であり、割合は１／４となる。また、パターン４０２を例にすると、ドット面積６に対して外辺の数は１０であり、割合は３／５となる。割合が大きいほど出力安定性が高い傾向があるので、割合が第１の割合閾値以上である大きい場合に、出力安定性が高いと設定される。割合が小さいほど感度が高い傾向があるので、割合が第２の割合閾値より小さい場合に、感度が高いと設定される。ここで、第２の割合閾値は、第１の割合閾値と等しい値または第１の割合閾値より小さい値である。
【００３４】
また、パッチ画像の出力安定性情報及び感度情報の設定は、実験結果を基に行うこともできる。例えば、予め、用意した複数のパッチ画像を、様々な現像条件、露光条件、温度、湿度で出力し測定して、濃度変動がどの程度生じているか実験的に試してみる。濃度変動の程度が第１の濃度変動閾値以下である場合に、出力安定性が高いと設定される。濃度変動の程度が第２の濃度変動閾値より大きい場合に、感度が高いと設定される。ここで、第２の濃度変動閾値は、第１の濃度変動閾値と等しい値または第１の濃度変動閾値より大きい値である。
【００３５】
上述したように、ステップＳ３０１では、パッチ画像選択部２０６２が、パターン４０１、４０２、４０３を繰り返すことにより構成されたパッチ画像のような、環境変動があっても安定して出力可能なパッチ画像を選択する。
【００３６】
ステップＳ３０２において、パッチ画像出力指示部２０６が、ステップＳ３０１で選択されたパッチ画像の出力を指示する。指示に応じて、ガンマ補正処理部２０１、ハーフトーン処理部２０３及びＰＷＭ信号生成部２０４の処理が実行され、そして、パッチ画像が画像形成部２０５により形成される。
【００３７】
ステップＳ３０３において、濃度検出部２０７が、ステップＳ３０２で形成されたパッチ画像の濃度情報を検出する。濃度を検出する手法としては、ＣＣＤ素子などのセンサによって転写ベルト上に形成されたトナーの反射濃度を検出し、検出した反射濃度からパッチ画像の濃度を算出する。濃度を検出する手法はこれに限るわけではなく、他の手法を用いても良い。
【００３８】
ステップＳ３０４において、ガンマ補正情報算出部２０８１が、ステップＳ３０３で検出されたパッチ画像の濃度情報よりガンマ補正情報を算出する。ガンマ補正情報は、入力画像データの取りうる値の範囲全体を等分割し、等分割格子点に対応する濃度をＬＵＴに保持している。正確なガンマ特性を実現するためには、十分な数の格子点に対応する濃度情報が必要となる。濃度情報が取得されていない格子点については、ガンマ補正情報算出部２０８１にて、濃度情報が取得出来ている近傍の格子点の濃度情報から補間処理、例えば線形補間を実行することで、ガンマ補正情報を算出する。
【００３９】
テップＳ３０３で検出された濃度は、環境変動があっても安定して出力可能なパッチ画像の濃度であるため、ステップＳ３０４では、環境変動による濃度変動の傾向を正しく示したガンマ補正情報を算出することができる。
【００４０】
ステップＳ３０５において、ガンマ補正情報設定部２０８２が、画像形成装置のガンマ補正情報をステップＳ３０４で算出されたガンマ補正情報に更新する。
【００４１】
ステップＳ３０６において、パッチ画像選択部２０６２が、高精度なガンマ補正情報更新のためのパッチ画像を選択する。本ステップで選択されるパッチ画像は、環境変動によって出力濃度が大きく変動する、即ち環境変動に対する感度の高いパッチ画像である。
【００４２】
ステップＳ３０７において、パッチ画像出力指示部２０６が、ステップＳ３０６で選択されたパッチ画像の出力を指示する。指示に応じて、ガンマ補正処理部２０１、ハーフトーン処理部２０３及びＰＷＭ信号生成部２０４の処理が実行され、そして、パッチ画像が画像形成部２０５により形成される。本ステップの画像形成は、ステップＳ３０５で更新されたガンマ補正情報を用いるので、環境変動に対する感度の高いパッチ画像であっても、安定して出力することが出来る。
【００４３】
ステップＳ３０８において、濃度検出部２０７が、ステップＳ３０７で形成されたパッチ画像の濃度情報を検出する。
【００４４】
ステップＳ３０９において、ガンマ補正情報算出部２０８１が、ステップＳ３０８で検出されたパッチ画像の濃度情報よりガンマ補正情報を算出する。前述したようにステップＳ３０４では、濃度情報が取得されていない格子点のガンマ補正情報を、補間処理を実行することで算出している。補間処理によって算出した濃度情報と、ステップＳ３０８で取得した濃度情報に異なる場合は、ステップＳ３０８で取得した濃度情報を用いて補間処理を再実行する。
【００４５】
ステップＳ３１０において、ガンマ補正情報設定部２０８２が、画像形成装置のガンマ補正情報をステップＳ３０９で算出されたガンマ補正情報に設定する。
【００４６】
上述したように、ステップＳ３０１〜Ｓ３０５では、環境変動があっても安定して出力可能なパッチ画像の濃度情報より、出力安定性を重視した、第１のガンマ補正情報更新を行う。ステップＳ３０６〜Ｓ３１０では、環境変動に対する感度の高いパッチ画像の濃度情報より、高精度な、第２のガンマ補正情報更新を行う。ステップＳ３０７の画像形成は、第１のガンマ補正情報更新を行った後の画像形成であるので、高感度なパッチ画像であっても、安定して出力することができる。よって、無駄なパッチ画像の出力を回避することができる。また、ステップＳ３０９のガンマ補正情報算出は、環境変動に対する感度の高いパッチ画像の濃度情報を用いたため、算出されたガンマ補正情報は高精度なガンマ補正情報となっている。よって、高精度なガンマ補正情報更新を行うことができる。
【００４７】
本実施形態によれば、環境変動があった場合においても無駄なパッチ画像の出力を回避しつつ高精度なガンマ補正情報の更新を実現することができる。
【００４８】
なお、本実施形態のステップＳ３０６〜Ｓ３１０では、環境変動に対する感度の高いパッチ画像を選択してガンマ補正情報の更新を行うが、ＬＵＴの格子点に近い濃度のパッチ画像を選択してガンマ補正情報の更新を行ってもよい。または、環境変動に対する感度の高いパッチ画像、及びＬＵＴの格子点に近い濃度のパッチ画像を選択してガンマ補正情報の更新を行ってもよい。
【００４９】
［実施形態２］
実施形態１では、パッチ画像毎に予め設定されている出力安定性に基づいて、環境変動があっても安定して出力可能なパッチ画像を一意に選択する。しかしながら、環境の変動量や変動した内容によって、環境変動があっても安定して出力可能なパッチ画像が変わる場合もある。また、環境の変動量や変動した内容によって、全てのパッチ画像を安定して出力できる場合もある。本実施形態では、環境の変動量や変動した内容に応じて、安定して出力できないパッチ画像があるか否かを判定する。
【００５０】
図５は、本実施形態の画像形成装置の論理構成を示すブロック図である。ガンマ補正処理部２０１、ガンマ補正情報格納部２０２、ハーフトーン処理部２０３、ＰＷＭ信号生成部２０４、画像形成部２０５、濃度検出部２０７、ガンマ補正情報算出部２０８１及びガンマ補正情報設定部２０８２は実施形態１と同じである。これらの構成要素について説明を省略する。以下、実施形態１と異なる構成要素について説明する。
【００５１】
環境変動検出部５０１は、現時点における温度や湿度など環境情報を検出し、前回のガンマ補正情報更新時の環境情報と比較して環境変動情報を取得する。
【００５２】
パッチ画像出力指示部５０２は、パッチ画像格納部５０２１及びパッチ画像選択部５０２２を含む。パッチ画像選択部５０２２が、環境変動検出部５０１で検出された環境変動情報に応じて、安定して出力できないパッチ画像があるか否かを判定する。パッチ画像毎に、どの環境変動の場合に安定して出力可能であるかは、予め設定されている。このような情報は、パッチ画像に関連付けてパッチ画像格納部５０２１に格納されており、パッチ画像選択部５０２２によって安定性判定のために用いられる。例えば、図４のパターン４０５のようなパッチ画像は、環境の変動量が変動量閾値より大きい場合に、安定して出力可能でないと設定されるが、環境の変動量が変動量閾値以下である場合に、安定して出力可能であると設定される。
【００５３】
図６は、本実施形態においてガンマ補正情報を更新する処理フローを示す図である。
【００５４】
ステップＳ６０１において、環境変動検出部５０１が、濃度変動に関連する環境情報を検出し、前回のガンマ補正情報更新時の環境情報と比較して環境変動情報を取得する。例えば、温湿度センサなどによって画像形成装置庫内の温度及び湿度検出する。また、各種センサを用いて定着器の定着温度や感光体ドラムのバイアスなどの情報を検出しても良い。なお、検出される環境情報は、パッチ画像の出力安定性に影響が出る情報であれば他の情報であっても良い。
【００５５】
ステップＳ６０２において、パッチ画像選択部５０２２が、ステップＳ６０１で検出された環境変動情報に応じて、パッチ画像格納部２０６１に格納されたパッチ画像のうち、安定して出力できないパッチ画像があるかどうかを判定する。安定して出力できないパッチ画像がある場合に、処理はステップＳ６０３に進み、安定して出力できないパッチ画像がない場合に、処理はステップＳ６０８に進む。
【００５６】
ステップＳ６０３において、パッチ画像選択部５０２２が、検出された環境変動情報に応じて安定して出力可能なパッチ画像を選択する。
【００５７】
また、ステップＳ６０４〜Ｓ６１２の処理は、図３のステップＳ３０２〜Ｓ３１０の処理と同様であるので、説明を省略する。
【００５８】
上述したように、本実施形態では、環境の変動量や変動した内容に応じて、安定して出力できないパッチ画像があるかどうかを判定する。安定して出力できないパッチ画像がある場合に、まず、安定して出力可能なパッチ画像の濃度情報より、出力安定性を重視した、第１のガンマ補正情報更新を行う。そして、環境変動に対する感度の高いパッチ画像の濃度情報より、高精度な、第２のガンマ補正情報更新を行う。安定して出力できないパッチ画像がない場合に、出力安定性を重視した、第１のガンマ補正情報更新を行わず、環境変動に対する感度の高いパッチ画像の濃度情報より、高精度な、第２のガンマ補正情報更新のみを行う。
【００５９】
本実施形態によれば、環境変動の状況に応じたパッチ画像選択が可能となる。また、本実施形態では、環境の変動量や変動した内容に応じてパッチ画像の出力安定性を判定することにより、無駄なパッチ画像の出力をさらに回避することができる。［実施形態３］
実施形態１では、パッチ画像毎に予め設定されている出力安定性に基づいて、安定して出力可能なパッチ画像を選択する。実施形態２では、環境の変動量や変動した内容に応じて、安定して出力できないパッチ画像があるか否かを判定する。通常、安定して出力できないパッチ画像を出力した場合、検出された出力濃度は、環境変動量から想定される濃度より大きく異なることが多い。これは、付着するトナー量が微小に変動するというよりも、トナーが付着するか否かが出力濃度に大きく影響する場合が多いためである。よって、環境変動に対するパッチ画像の出力安定性は、濃度検出結果から判定することが可能である。本実施形態では、この特性を利用してガンマ補正情報の更新を行う。
【００６０】
図７は、本実施形態の画像形成装置の論理構成を示すブロック図である。ガンマ補正処理部２０１、ガンマ補正情報格納部２０２、ハーフトーン処理部２０３、ＰＷＭ信号生成部２０４、画像形成部２０５、濃度検出部２０７、ガンマ補正情報算出部２０８１及びガンマ補正情報設定部２０８２は、実施形態１と同じである。これらの構成要素について説明を省略する。
【００６１】
パッチ画像出力指示部７０１は、パッチ画像格納部７０１１及びパッチ画像選択部７０１２を含む。パッチ画像選択部７０１２が、パッチ画像格納部７０１１に格納されたパッチ画像の中から、出力するパッチ画像を選択する。
【００６２】
出力安定性判定部７０２は、パッチ画像の濃度検出結果に基づいて、環境変動に対するパッチ画像の出力安定性を判定する。
【００６３】
本実施形態では、まず、パッチ画像選択部７０１２がパッチ画像格納部７０１１に格納されたパッチ画像群の全パッチ画像を選択し、パッチ画像の出力を指示する。形成されたパッチ画像の濃度検出結果に基づいて、パッチ画像の出力安定性が判定される。判定結果における出力安定性の高いパッチ画像の濃度情報がガンマ補正情報算出部２０８１によりガンマ補正情報算出のために使用される。このように、出力安定性を重視した、第１のガンマ補正情報更新が行われる。そして、第１のガンマ補正情報更新が行われた後に、パッチ画像選択部７０１２が、判定結果における出力安定性の低いパッチ画像を選択し、パッチ画像の出力を指示する。形成されたパッチ画像の濃度情報より、第２のガンマ補正情報更新が行われる。出力安定性の低いパッチ画像は、環境変動に対する感度が高いので、第２のガンマ補正情報更新はこのようなパッチ画像の濃度情報を用いるので、高精度なガンマ補正情報更新となる。
【００６４】
図８は、本実施形態においてガンマ補正情報を更新する処理フローを示す図である。
【００６５】
ステップＳ８０１〜Ｓ８０３において、全パッチ画像が選択されて出力され、出力された全パッチ画像の濃度情報が検出される。
【００６６】
ステップＳ８０４において、出力安定性判定部７０２が、検出された濃度情報に基づいて、環境変動に対するパッチ画像の出力安定性を判定する。通常、ガンマ補正情報は、入力階調値に対して滑らかに変動する。よって周りの濃度値に対して急激な変化があった濃度情報を有するパッチ画像は、安定して出力できなかったと判定される。すなわち、環境変動に対する出力安定性の低いパッチ画像と判定される。あるいは、予め様々な環境変動において、パッチ画像の濃度が変動するレンジ（最大値及び最小値）を測定しておき、ステップＳ８０３で検出されたパッチ画像の濃度情報が想定範囲内（所定範囲内）でない場合には、安定して出力できなかったと判定される。すなわち、環境変動に対する出力安定性の低いパッチ画像と判定される。
【００６７】
ステップＳ８０５において、ガンマ補正情報算出部２０８１が、ステップＳ８０４で判定された出力安定性の低いパッチ画像の濃度情報を除いて、他のパッチ画像の濃度情報よりガンマ補正情報を算出する。すなわち、環境変動があっても安定して出力可能なパッチ画像の濃度情報よりガンマ補正情報を算出する。また、補間処理により、全格子点のガンマ補正情報を算出する。本ステップで算出されたガンマ補正情報は、安定して出力可能なパッチ画像の濃度情報のみを用いて算出した補正情報であるため、環境変動による濃度変動の傾向を正しく示したガンマ補正情報である。
【００６８】
ステップＳ８０６において、ガンマ補正情報設定部２０８２が、画像形成装置のガンマ補正情報をステップＳ８０５で算出されたガンマ補正情報に設定する。ステップＳ８０５及び本ステップで行われるガンマ補正情報更新は、出力安定性を重視した、第１のガンマ補正情報更新である。
【００６９】
ステップＳ８０７において、パッチ画像選択部７０１２が、ステップＳ８０４の判定結果に出力安定性の低いパッチ画像があるか否かを判定する。出力安定性の低いパッチ画像があった場合に、処理はステップＳ８０８に進み、出力安定性の低いパッチ画像がなかった場合に、本処理フローは終了する。
【００７０】
ステップＳ８０８〜Ｓ８１０において、ステップＳ８０４の判定結果における出力安定性の低いパッチ画像が選択されて出力され、出力されたパッチ画像の濃度情報が検出される。ステップＳ８０９の画像形成は、ステップＳ８０５及びＳ８０６のガンマ補正情報更新が行われた後の画像形成であるので、ステップＳ８０４の判定結果における出力安定性の低いパッチ画像であっても、安定して出力可能となっている。
【００７１】
ステップＳ８１１において、ガンマ補正情報算出部２０８１が、ステップＳ８１０で検出された濃度情報よりガンマ補正情報を算出する。ステップＳ８１２において、ガンマ補正情報設定部２０８２が、画像形成装置のガンマ補正情報をステップＳ８１１で算出されたガンマ補正情報に設定する。ステップＳ８１１及びＳ８１２の処理は、図３のステップＳ３０９及びＳ３１０と同様であるので、詳細な説明を省略する。
【００７２】
本実施形態では、濃度検出結果からパッチ画像の出力安定性を判定することにより、新たに環境変動を検出するセンサや機構などを追加することなく、環境変動の状況に応じたパッチ画像選択が可能となる。
【００７３】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
0006624881.tif 000002
【図２】
0006624881.tif 000003
【図３】
0006624881.tif 000004
【図４】
0006624881.tif 000005
【図５】
0006624881.tif 000006
【図６】
0006624881.tif 000007
【図７】
0006624881.tif 000008
【図８】
0006624881.tif 000009